(57)【特許請求の範囲】
【請求項１】
ガラス板と、該ガラス板の屋内外の四周端面部を保持する保持部材とを備え、該保持部材は、フレームの屋外側面部に形成される凸部と屋内側にてフレーム端部に固定される押縁とで形成される凹溝に組込まれるように構成してなる防火戸におけるガラス板保持構造において、
前記保持部材は、ガラス板の四周端面部を全長に亘って保持する長尺状のものであり、
ガラス板の屋外側面に線状に当接する第一支持片が形成された第一保持体と、
ガラス板の屋内側面に線状に当接する第二支持片が形成された第二保持体との二部材で構成され、
第一保持体は、フレーム端部または／および凸部の屋内側面に基端部側が固定され、
第二保持体は、押縁に基端部が固定されていることを特徴とする防火戸におけるガラス板保持構造。
【請求項２】
第一、第二支持片は、凹溝の屋内外側面からガラス板に向けて突出形成した山形部であって、第一、第二保持体のガラス板に線状に当接する部位は該山形部の頂部であることを特徴とする請求項１記載の防火戸におけるガラス板保持構造。
【請求項３】
第一、第二保持体の先端部は、凹溝の屋内外側面から凹溝開口側ほどガラス板に向けて傾斜した第一、第二保持体の傾斜面部であって、第一、第二保持体のガラス板に線状に当接する部位は該傾斜面部の遊端部であることを特徴とする請求項１記載の防火戸におけるガラス板保持構造。
【請求項４】
第一保持体は、凹溝屋外側面と溝底とに固定されていることを特徴とする請求項３記載の防火戸におけるガラス板保持構造。
【発明の詳細な説明】
【技術分野】
【０００１】
本発明は、ビルやマンション等の建築物に設けられ、防火性能を有する自動ドアや窓等の防火戸におけるガラス板保持構造の技術分野に関するものである。
【背景技術】
【０００２】
一般に、この種の防火戸を構成するドア体のなかには、耐熱強化ガラスからなるガラス板をフレーム（框材）に嵌め込むものがあり、このようなものとしては、従来、図８（Ａ）に示されるドア体１０１のように、ガラス板１０２は、フレーム１０３に形成される凹溝１０３ａに幅のある一対のバックアップ材１０４で前後を挟持される状態で組み込まれていた。図８（Ｂ）に示すように、火災が発生した場合、ガラス板１０２は熱により変形し、バックアップ材１０４は熱発泡性能を有した素材で形成されているため発泡する。このときガラス板１０２の熱変形の度合いとバックアップ材１０４の発泡の度合いによっては次のような問題が発生する。まず、ガラス板１０２の強化が熱により抜ける前にバックアップ材１０４の発泡が完了すると、ガラス板１０２の熱変形によるズレに対してガラス保持力が勝ってしまう場合があり、そうすると、図８（Ｃ）で示すようにガラス板１０２のバックアップ材１０４による挟持端部１０２ａが熱割れしてしまうという問題がある。一方、ガラス板１０２の熱変形によるズレが大きい場合には、発泡したバックアップ材１０４が潰されてガラス板の保持力が低下し、図８（Ｄ）に示すようにガラス板１０２がフレームから脱落してしまうという問題がある。さらには、防火戸が熱膨張により窓サイズが大きくなってしまうと、バックアップ材１０４によるガラス板１０２のかかり代（挟み代）で防火戸の熱膨張量を吸収しきれなくなって、ガラス板１０２が抜け出てしまう等の問題がある。
【０００３】
そこでこの改善策として、発泡性のバックアップ材の代わりにΩ形状の保持部材をバイメタル製で形成し、該保持部材でガラス板の端縁部を狭持状に保持したものをフレーム材の凹溝に取り付けることで、ガラス板が加熱された場合であっても該保持部材がガラス板の端部を狭持し、ガラス板の垂れ下がりを防止するようにしたものが知られている（例えば、特許文献１参照）。
また、凹形（樋形）をし、弾性変形可能な長尺状の保持部材をガラス板の周縁部に嵌め込んだ状態でフレーム凹溝に取り付けるようにしたものが知られている（例えば、特許文献２参照）。
さらには、枠材に一定間隔を空けた複数個の板バネから成る保持部材を予め差し込んで装着しておき、該保持部材の狭持部を押し広げながらガラス板を挿入し、そうして該板保持部材のバネ力によってガラス板を保持するようにしたものが知られている（例えば、特許文献３参照）。
【先行技術文献】
【特許文献】
【０００４】
【特許文献１】特開平７−３２４５５７号公報
【特許文献２】特開平８−１５８７４９号公報
【特許文献３】特開平８−２７０３３０号公報
【発明の概要】
【発明が解決しようとする課題】
【０００５】
ところで前記特許文献１、２のものは、工場でガラス板に保持部材を嵌め込んだものを施工現場に搬送するようにした場合、途中で脱落したりして紛失する惧れがあり、そこで施工現場においてガラス板に保持部材を嵌め込むことが強いられるうえ、保持部材の嵌め込み代を均一にすることが難しく、作業性に劣るといった問題がある。
また、特許文献３のものは、枠材に予め切り起こし部を形成しておく必要があるだけでなく、火災が発生してガラス板が変形した場合、保持部材がある場所と無い場所によってガラス板の挙動が変わってしまうという問題があり、これらに本発明の解決すべき課題がある。
【課題を解決するための手段】
【０００６】
本発明は、上記の如き実情に鑑みこれらの課題を解決することを目的として創作されたものであって、請求項１の発明は、ガラス板と、該ガラス板の屋内外の四周端面部を保持する保持部材とを備え、該保持部材は、フレームの屋外側面部に形成される凸部と屋内側にてフレーム端部に固定される押縁とで形成される凹溝に組込まれるように構成してなる防火戸におけるガラス板保持構造において、前記保持部材は、ガラス板の四周端面部を全長に亘って保持する長尺状のものであり、ガラス板の屋外側面に線状に当接する第一支持片が形成された第一保持体と、ガラス板の屋内側面に線状に当接する第二支持片が形成された第二保持体との二部材で構成され、第一保持体は、フレーム端部または／および凸部の屋内側面に基端部側が固定され、第二保持体は、押縁に基端部が固定されていることを特徴とする防火戸におけるガラス板保持構造である。
請求項２の発明は、第一、第二支持片は、凹溝の屋内外側面からガラス板に向けて突出形成した山形部であって、第一、第二保持体のガラス板に線状に当接する部位は該山形部の頂部であることを特徴とする請求項１記載の防火戸におけるガラス板保持構造である。
請求項３の発明は、第一、第二保持体の先端部は、凹溝の屋内外側面から凹溝開口側ほどガラス板に向けて傾斜した第一、第二保持体の傾斜面部であって、第一、第二保持体のガラス板に線状に当接する部位は該傾斜面部の遊端部であることを特徴とする請求項１記載の防火戸におけるガラス板保持構造である。
請求項４の発明は、第一保持体は、凹溝屋外側面と溝底とに固定されていることを特徴とする請求項３記載の防火戸におけるガラス板保持構造である。
【発明の効果】
【０００７】
請求項１の発明とすることにより、保持部材が第一保持体と第二保持体の二部材で構成されているため、工場において保持部材を容易にかつ精度良く取り付けられることになるうえ、該保持部材は、ガラス板の内外端面部に線状に当接するものであるから、ガラス板が熱により変形したとして、該変形によく追随してガラス板の脱落やダレを防止することができる。
請求項２の発明とすることにより、山形部の両裾部が凹溝の屋内外側面に当接するため、頂部にガラス板変形による応力を受けたとき、両裾部でこれを受けることになるから第一、第二保持体は山形部よりも溝底側一箇所の固定でよいことになって部品点数の少ないものにできる。
請求項３の発明とすることにより、保持部材はガラス板の内外両端面部をより先端側で保持することができるため、火災等によるガラス板の変形に対し、より確実に脱落やダレを防止することができる。
請求項４の発明とすることにより、第一保持体がガラス板からの応力を受けて持ち上がってしまうことを回避でき、ガラス板の保持力が向上する。
【図面の簡単な説明】
【０００８】
【図１】自動ドアの全体図である。
【図２】（Ａ）、（Ｂ）、（Ｃ）はドア体の横断面図である。
【図３】（Ａ）、（Ｂ）、（Ｃ）はドア体の縦断面図である。
【図４】（Ａ）はドア体の部分拡大横断面図、（Ｂ）は保持部材の拡大断面図である。
【図５】（Ａ）はフレームの溝深さが深い場合のドア体の部分拡大横断面図、（Ｂ）は第一保持体、第二保持体を同形状にした場合のドア体の部分拡大横断面図である。
【図６】第二実施例を示すものであって、（Ａ）、（Ｂ）、（Ｃ）はドア体の横断面図である。
【図７】第二実施例を示すものであって、（Ａ）はドア体の部分拡大横断面図、（Ｂ）は保持部材の拡大断面図である。
【図８】従来例を示すものであって、（Ａ）、（Ｂ）はドア体の横断面図、（Ｃ）、（Ｄ）はドア体の部分拡大横断面図である。
【発明を実施するための形態】
【０００９】
以下、本発明の第一の実施の形態について、図面に基づいて説明する。
図面において、１は建築物の開口部に設けられる自動ドアＤを構成する左右一対のドア体であって、開口部上方および開口部に隣接する左右躯体の上方に亘り長尺状に設けられた上側ガイドレールに移動自在に吊持され、上側ガイドレールと開口部下端部を構成する床面側に配された下側ガイドレールに沿って開閉作動する引き戸式に構成されている点、開閉機の駆動制御により全閉姿勢と全開姿勢との間を開閉移動するように設定されている点等については従来通りの構成であるため、詳細な説明は省略する。
【００１０】
前記ドア体１は、防火性能を有する耐熱強化ガラスを用いたガラス板２の上下左右端面部２ａを上下、左右の長尺状のフレーム３’、３で囲繞したものとして構成されている。
左右フレーム３は表面板５（本実施の形態では２枚の表面板から構成されている。）で囲繞されるが、該表面板５の屋外側面部５ａからは、フレーム３の内側面３ａよりも内側に突出したものが屋内側に向けて直角状に折曲され、さらに、幅を持たせた状態でフレーム内側面３ａ側に向けて折曲され、フレーム内側面３ａに当接することで凸部５ｂが形成されている。そして表面板５の屋内側面部５ｄからは、フレーム内側面３ａよりも内側に突出する状態で屋外側に折曲されたものが折り返し折曲され、フレーム内側面３ａに至った折り返し片５ｃが形成されている。
そしてフレーム３の屋内側において、折り返し片５ｃの屋外側に当接するよう組込んだ断面略コ字状の押縁６をフレーム内側面３ａにビス７で螺着することで、屋内側に位置する押縁６と屋外側に位置する凸部５ｂとのあいだに、ガラス板２を嵌め込むための凹溝３ｂが形成されるようになっている。
一方、上下フレーム３’は表面板５’（本実施の形態では２面の表面板から構成されている。）で囲繞されるが、該表面板５’の屋外側面部５’ａからは、フレーム３の内側面３ａよりも内側に突出したものが屋内側に向けて直角状に折曲され、さらに幅を持たせた状態でフレーム内側面３ａ側に向けて折曲され、フレーム内側面３ａに当接することで屋外側凸部５’ｂが形成されている。そして表面板５’の屋内側面部５’ｄからは、フレーム内側面３ａよりも内側であって、前記屋外側凸部５’ｂよりも小さい突出量のものが屋外側に向けて直角状に折曲され、さらに幅を持たせた状態でフレーム内側面３ａ側に向けて折曲され、フレーム内側面３ａに当接することで屋内側凸部５’ｃが形成されている。
なお、上記形態に限定されないことは勿論であって、左右フレーム３に前記表面板５’を、上下フレーム３’に前記表面板５を採用してもよく、また、上下左右のすべてのフレーム３’、３に前記表面板５’を採用してもよい。
【００１１】
次に、保持部材４について説明するが、ここでは図１の左側ドア体１において、左フレーム３に保持部材４を介してガラス板２を嵌め込む場合について詳細に説明し、同様の構成を採る他の各部については説明を省略する
前記保持部材４は、ガラス板２の屋内外の四周端面部２ａを全長に亘って保持するものであって、フレーム３の屋外側（凹溝屋外側面３ｄ）に設けられる第一保持体８と、屋内側、つまり押縁６側（凹溝屋内側面３ｅ）に設けられる第二保持体９の二つに分割されたものとして形成され、前記凹溝３ｂに組み込まれるように構成されている。
第一保持体８は、ステンレス鋼等の金属性板材で形成され、フレーム３（表面板５）と同じ長さの長尺状ものとして構成されるが、凹溝３ｂの溝底３ｃにビス１０を介して固定される基端片（基端部）８ａ、該基端片８ａから折曲されて凸部５ｂに沿うように形成される中間片８ｂ、該中間片８ｂの先端部位においてガラス板２側（屋内側）に向けて山（略∧字）形状に折曲形成されてガラス板２の屋外側面に当接支持する第一支持片（先端部、山形部）８ｃで構成されている。そして第一保持体８は、前記基端片８ａをビス１０で凹溝３ｂの溝底３ｃに螺着することでフレーム３の凹溝３ｂの屋外側面３ｄに設けられているが、このとき支持片８ｃの先端（図４（Ａ）における右端）は凸部５ｂの先端（図４（Ａ）における右端）よりも若干溝底３ｃ側に位置し、頂部８ｄは該先端よりも溝底３ｃ側に位置するように構成されている。
【００１２】
一方、第二保持体９は、第一保持体８と同じ板材で形成され、押縁６（フレーム３）と同じ長さの長尺状のものとして構成されるが、押縁６の屋外側面（凹溝３ｂの屋内側面３ｅ）にビス１１を介して固定される基端片（基端部）９ａ、該基端片９ａの先端（図４（Ａ）における右端）においてガラス板２側（屋外側）に向けて山（略∧字）形状に折曲形成されてガラス板２の屋内側面に当接支持する第二支持片（先端部、山形部）９ｂで構成されている。そして第二保持体９は、前記基端片９ａをビス１１で押縁６に螺着することでフレーム３の凹溝３ｂの屋内側面３ｅに設けられているが、このとき該支持片９ｂの先端（図４（Ａ）における右端）は押縁６の先端（図４（Ａ）における右端）よりも若干溝底３ｃ側に位置し、頂部９ｃは該先端よりも溝底３ｃ側に位置するように構成されている。
【００１３】
このようにして構成された第一、第二保持体８、９は、凹溝３ｂにおいて後述するようにガラス板２の屋内外側面を挟持状に保持することになるが、基端片８ａ、９ａがビス１０、１１で固定されて凹溝３ｂ内に配設される一方、支持片８ｃ、９ｂは先端が遊端（自由端）となって固定されておらず、かつ支持片８ｃ、９ｃの頂部８ｄ、９ｃが線状（峰状）となってガラス板２の屋内外端面部２ａに線状に当接支持し、これによってガラス板２の変姿に追随することができるように構成されている。
【００１４】
なお、頂部８ｄ、９ｃよりも先端側からフレーム３及び押縁６の先端までの空間には難燃性のシール材１２が充填されていて、該シール材１２によってガラス板２が位置ズレしないように押さえられている。
また、図３に示すように、下フレーム３の凹溝３ｂには、左右二箇所に一対のセッティングブロック１３を配置し、該セッティングブロック１３にガラス板２を支持させることで、ドア体１を設置したときにガラス板２の水平を担保することができるように構成されている。
【００１５】
ここで、ガラス板２を保持部材４で保持させる工程について説明する。
まず、予め工場でフレーム３（凹溝の屋外側面３ｄ）に第一保持体８を、押縁６（凹溝の屋内側面３ｅ）に第二保持体９を、それぞれビス１０、１１で固定しておく。そして、設置現場でガラス板２をフレーム３を囲繞する表面板凸部５ｂにあてがうが、このとき、第一保持体８の頂部８ｄにガラス板２の屋外側面が接触するように構成されている。次に、押縁６をビス７を介してフレーム３に固定することで、該押縁６に設けられている第二保持体９の頂部９ｃにガラス板２の屋内側面が線状に接触することになる。これによって第一、第二保持体８、９の頂部８ｄ、９ｃが対向してガラス板２を屋内外両面から狭持状に保持することになる。そして最後にシール材１２を充填することでドア体１を形成することができる。
【００１６】
このように図２（Ａ）に示す如く保持部材４で保持されたガラス板２から成るドア体１に対して、火災等が発生して加熱された場合（図２（Ｂ）、（Ｃ））、ガラス板２は熱源の方向（本実施の形態においては図２における上側である屋内側）へ反る変形をすることになる。このときガラス板２は、第一、第二保持体８、９の頂部８ｄ、９ｃにより線状にかつ屋内外両面から狭持状に保持され、しかも支持片８ｃ、９ｂの先端が遊端となっているため、ガラス板２の前記変形に追随した変形をすることでガラス板２の変形を吸収することになって、ガラス板２の割れや脱落を回避することができる（図２（Ｃ）、図３（Ｃ））。
【００１７】
叙述の如く構成されたものでは、ガラス板２と、該ガラス板２の屋内外の四周端面部２ａを保持する保持部材４とを備え、該保持部材４は、フレーム３’、３の屋外側面部に形成される凸部５ｂと屋内側にてフレーム内側面３ａに固定される押縁６とで形成される凹溝３ｂに組込まれるように構成されていて、前記保持部材４は、ガラス板２の四周端面部２ａを全長に亘って保持する長尺状のものであり、フレーム内側面３ａ（凹溝の屋外側面３ｄ）に基端片８ａ側がビス固定され、支持片８ｃがガラス板２の屋外側面に線状に当接する第一保持体８と、押縁６（凹溝の屋内側面３ｅ）に基端片９ａがビス固定され、支持片９ｂがガラス板２の屋内側面に線状に当接する第二保持体９とで構成されているため、工場において予めフレーム３’、３と押縁６にそれぞれビス固定しておくことができることになり、保持部材４をフレーム３’、３、押縁６に対して精度よく設けることができることになって、ガラス板２の嵌め込み代を均一にすることができるだけでなく、搬送途中等においての脱落が発生せず、しかも、施工現場ではフレーム３’、３の凸部５ｂ側の第一保持体８にガラス板２を当てがった状態で、第二保持体９が設けられた押縁６を取付ければよいため、作業性の良いものとすることができる。その上、このものは、保持部材４がガラス板２の内外端面部２ａに線状に当接しているため、火災発生時においてガラス板２が熱により変形した場合、該変形によく追随して該ガラス板２の変形を吸収し、ガラス板の脱落やダレを防止することができる。
さらに、第一、第二保持体８、９（保持部材４）は、フレーム３、押縁６と同長さのものとして構成され、上下左右の全てのフレーム３’、３、押縁６に設けられるものであるため、保持部材４でガラス板２の四周全体を保持できることになって、ガラス板２の保持が確実になるだけでなく、特許文献３のものの如く保持部材４を点在させた場合のように保持部材の有無によってガラス板端面部２ａの挙動が変わってしまうという不具合が発生しないものとすることができる。
【００１８】
また、第一、第二保持体８、９の支持片８ｃ、９ｂは凹溝３ｂの屋内外側面３ｄ、３ｅからガラス板に向けて突出形成した山形状の山形部として形成され、該山形部の両裾部が凹溝３ｂの屋内外側面３ｄ、３ｅに当接しているため、頂部８ｄ、９ｃがガラス板２の変形による応力を受けた場合であっても、該応力を前記両裾部で受けることができるから、第一、第二保持体８、９は、前記山形部（支持片８ｃ、９ｂ）よりも溝底側の一箇所で固定すればよく、部品点数の少ないものとすることができる。
また、支持片８ｃ、９ｂを山形部とすることで、凹溝３ｂには、支持片８ｃ、９ｂの頂部８ｄ、９ｃよりも溝底３ｃ側の傾斜面部と溝底３ｃとのあいだに、ガラス板２の前記頂部８ｄ、９ｃで挟持状に当接（保持）された部位よりも端縁部位が遊嵌される空間Ｓを確保することができて、ガラス板２が変形した場合に、該空間Ｓで該ガラス板２（端部２ａ）の変位を許容することとなって、ガラス板２に無理な力が働いて熱割れしてしまうといった不具合を防止することができる。
しかも、ガラス板２は第一、第二保持体の頂部８ｄ、９ｃによって線状に保持され、支持片８ｃ、９ｂの先端は遊端状となって凹溝３ｂの屋内外側面３ｄ、３ｅに当接しているため、火災が発生してガラス板２が変形した場合であっても、該ガラス板２の変形を吸収しながらガラス板２を保持し続けることができ、ガラス板２のフレーム３からの脱落を防ぐことができる。
そしてこの場合に、頂部８ｄ、９ｃのガラス板面当接位置を可及的に凹溝３ｂの先端（開口）側に位置させることができることになるため、ガラス板２の頂部８ｄ、９ｃ当接位置から端縁部までの長さ（呑み込み代）を長く確保できることになってより確実な脱落防止を達成することができる。
【００１９】
また本実施の形態では、左右フレーム３の表面板５に折り返し辺５ｃが設けられているため、該フレーム３と押縁６との見切り線（境界線）を隠すことができることになって意匠性の良いものとすることができる。
【００２０】
さらに、本実施の形態のものは、図５（Ａ）に示すように、第一保持体８の中間片８ｂ、第二保持体９の基端片９ａの長さ（左右幅）をフレーム凹溝３ｂの溝深さに合わせて調節することで様々な溝深さのものに対応できるため、汎用性が高いものとすることができることは勿論、例えば性能確認試験の結果に基づいてガラス板２のかかり代を調整する必要がある場合に、その調整が容易であってガラス板２の抜け出しをより確実に防止することができる保持部材４とすることができる。
【００２１】
また、本実施の形態において、第一、第二保持体８、９は形の異なるものとして設けられているが、図５（Ｂ）に示すように、表面板５に折り返し片５ｃがないものでは、第一保持体１４を第二保持体９と同一の形状とし第一保持体１４を凸部５ｂの屋内側面にビス１０’で固定するようにすることも可能である。
【００２２】
尚、本発明は前記実施の形態に限定されないことは勿論であって、保持部材１５を図６、７に示す第二の実施の形態のようにすることもできる。
第二の実施の形態において、保持部材１５は、第一保持体１６、第二保持体１７に分割され、第一保持体１６がフレーム３側に、第二保持体１７が押縁６側にそれぞれビス１８、１９で固定される点、金属製板材で形成され、フレーム３’、３、押縁６と同じ長さの長尺状のものとして構成される点等については、前記第一の実施の形態のものと同様であるため、同じ番号を付し、詳細な説明は省略する。
【００２３】
第一保持体１６は、フレーム３の凹溝３ｂの溝底３ｃにビス１８を介して固定される基端片１６ａ、該基端片１６ａから折曲されて凸部５ｂに沿うように形成され、凹溝３ｂの屋外側面３ｄにビス２０を介して固定される中間片１６ｂ、該中間片１６ｂの先端部位からガラス板２側（屋内側）に向けて傾斜形成され、表面板５の凸部５ｂの先端よりも若干溝奥側において頂部（遊端部）１６ｃで折り返し形成される第一支持片（先端部、傾斜面部）１６ｄで構成されている。そして第一保持体１６は、前記基端片１６ａをビス１８で凹溝３ｂの溝底３ｃに螺着し、前記中間片１６ｂをビス２０で屋外側面３ｄに螺着することでフレーム３の凹溝３ｂの屋外側面３ｄに設けられているが、このとき支持片１６ｄの先端（図７（Ａ）における右端）であえる頂部１６ｃは凹溝３ｂよりも若干溝底３ｃ側に位置するように構成されている。
一方、第二保持体１７は、押縁６の屋外側面（凹溝の屋内側面３ｅ）にビス１９を介して固定される基端片１７ａ、該基端片１７ａの先端（図７（Ａ）において右端）からガラス板２側（屋外側）に向けて傾斜形成され、押縁６の先端よりも若干溝奥側において頂部（遊端部）１７ｂで折り返し形成される第二支持片（先端部、傾斜面部）１７ｃ、基端片１７ａの末端（前記先端とは他端であって、図７（Ａ）において左端）から屋内側（図７（Ａ）において上側）へ折曲形成されてフレーム３と押縁６とのあいだに挿入されてビス７によって押縁６と共にフレーム３に固定される突出片１７ｄで構成されている。そして第二保持体１７は、前記基端片１７ａをビス１９で押縁６に螺着することでフレーム３の凹溝３ｂの屋内側面３ｅに設けられているが、このとき該支持片１７ｂの先端（図７（Ａ）における右端）である頂部１７ｂは凹溝３ｂよりも若干溝底３ｃ側に位置するように構成されている。
なお、前記頂部１６ｃ、１７ｂからフレーム３及び押縁６の先端までの空間には難燃性のシール材１２が充填されていて、該シール材１２によってガラス板２が位置ズレしないように押さえられている点は、前記第一の実施の形態と同様である。
【００２４】
このようにして構成された第一、第二保持体１６、１７は、後述するようにガラス板２の屋内外側面を狭持状に保持することになるが、基端片１６ａ、１７ａがビス１８、１９でフレーム３、押縁６側に固定される一方、支持片１６ｄ、１７ｃは先端（頂部１６ｃ、１７ｂ）が遊端（自由端）となって固定されておらず、かつガラス板２に線状に当接支持するものであるため、ガラス板２の変形に追随することができるように構成されている。
さらに第一保持体１６は、基端片１６ａのビス固定だけでなく、中間片１６ｂをビス２０で表面板凸部５ｂ部位に螺着してフレーム３に固定しており、これにより、前述したように遊端となっている支持片１６ｄが弾性変形した場合に中間片１６ｂがフレーム３から浮き上がってガラス板２の保持力が低下しないように構成されている。
一方、第二保持体１７は、基端片１７ａをビス固定しているが、支持片１７ｃとは他端側に形成される突出片１７ｄを、押縁６と共にビス７でフレーム内側面３ａに固定することで、遊端となっている支持片１７ｃが弾性変形した場合に基端部１７ａが押縁６から浮き上がってしまうことがないように構成されている。
【００２５】
叙述の如く構成された第二の実施の形態のものは、第一、第二保持体１６、１７の支持片１６ｄ、１７ｃは、凹溝３ｂの屋内外側面から凹溝３ｂ開口側ほどガラス板２に向けて傾斜した遊端となっていて、該支持片１６ｄ、１７ｃの頂部１６ｃ、１７ｂがガラス板２に線状に当接するように構成されているため、ガラス板２を保持する保持位置が第一の実施の形態のものよりも開口（先端）側となり、呑み込み代をより長く確保できることになって、ガラス板２が火災等で変形した場合にガラス板２の脱落やダレをより一層防止することができるだけでなく、ガラス板２の端部に傾斜面がある場合等であっても、確実に保持し続けることができる。
さらに、第一保持体１６は基端片１６ａを溝底３ｃにビス固定するだけでなく、中間片１６ｂを凸部５ｂ部位にビス固定することで、遊端状の支持片１６ｄが弾性変形した場合に中間片１６ｂが支持片１６ｄからの応力を受けてフレーム３から持ち上がってしまうことを回避でき、ガラス板２の保持力を向上させることができる。
【産業上の利用可能性】
【００２６】
本発明は、ビルやマンション等の建築物に設けられ、防火性能を有する自動ドアや窓等の防火戸において、火災発生時にガラス板の脱落やダレを防止するためのガラス板保持構造の技術分野に利用することができる。
【符号の説明】
【００２７】
１    ドア体
２    ガラス板
３    フレーム
３ｂ  凹溝
４    保持部材
５    表面板
５ｂ  凸部
６    押縁
８    第一保持体
８ａ  基端片
８ｃ  第一支持片
８ｄ  頂部
９    第二保持体
９ａ  基端片
９ｂ  第二支持片
９ｃ  頂部
【図１】
0005969780.tif 000002
【図２】
0005969780.tif 000003
【図３】
0005969780.tif 000004
【図４】
0005969780.tif 000005
【図５】
0005969780.tif 000006
【図６】
0005969780.tif 000007
【図７】
0005969780.tif 000008
【図８】
0005969780.tif 000009